(57)【特許請求の範囲】
【請求項１】
基地局であって、
ユーザ機器(UE)に第1のページングリソースの設定情報を送信するように構成される、送信モジュールであって、前記第1のページングリソースは、前記基地局がページングエリアにおいてページングエリアページングを行う場合に使用されるページングリソースであり、前記ページングエリアは、複数のセルを含み、前記複数のセルのすべてが、前記第1のページングリソースを使用して前記UEにページングする、送信モジュールと、
コアネットワークによって送信されたページング要求を受信するように構成される、受信モジュールと、
前記ページング要求に従って前記UEに第1のページングインディケーションを送信するように構成される、処理モジュールであって、前記第1のページングインディケーションは、前記第1のページングリソース上で、前記基地局によって送信された第1のページングメッセージを受信するように前記UEに命令するために使用され、前記第1のページングメッセージは、前記ページングエリアページングにおいて使用されるページングメッセージである、処理モジュールとを備え、
前記処理モジュールは、前記第1のページングリソース上で、前記UEに前記第1のページングメッセージを送信するようにさらに構成され、前記第1のページングメッセージは、前記第1のページングメッセージに対応する第1のページングスクランブルコードを使用してスクランブル処理され、前記第1のページングメッセージを送信する際には、前記複数のセルのすべてが、前記第1のページングスクランブルコードを使用して前記第1のページングメッセージをスクランブル処理し前記ページングエリア内の前記複数のセル間の干渉を回避する、基地局。
【請求項２】
前記ページング要求は、第1の送信時点を含み、前記処理モジュールは、
前記第1の送信時点に従って前記UEに前記第1のページングインディケーションを送信するように特に構成される、請求項1に記載の基地局。
【請求項３】
前記ページング要求は、第2の送信時点を含み、前記処理モジュールは、
前記第1のページングリソース上で、前記第2の送信時点に従って前記UEに前記第1のページングメッセージを送信するように特に構成される、請求項1に記載の基地局。
【請求項４】
前記送信モジュールは、前記UEに前記第1のページングスクランブルコードを送信するようにさらに構成される、請求項1に記載の基地局。
【請求項５】
ユーザ機器(UE)であって、
第1のページングリソースのものであるとともに基地局によって送信された設定情報を受信するように構成される、受信モジュールであって、前記第1のページングリソースは、前記基地局がページングエリアにおいてページングエリアページングを行う場合に使用されるページングリソースであり、前記ページングエリアは、複数のセルを含み、前記複数のセルのすべてが、前記第1のページングリソースを使用して前記UEにページングし、
前記受信モジュールは、前記基地局によって送信されたページングインディケーションを受信するようにさらに構成される、受信モジュールと、
前記ページングインディケーションに従うとともに第1のページングスクランブルコードを使用して前記第1のページングリソース上で、前記基地局によって送信された第1のページングメッセージを受信するように構成される、処理モジュールであって、前記第1のページングメッセージは、前記第1のページングメッセージに対応する前記第1のページングスクランブルコードを使用してスクランブル処理され、前記第1のページングメッセージは、前記ページングエリアページングにおいて使用されるページングメッセージであり、前記第1のページングメッセージを送信する際には、前記複数のセルのすべてが、前記第1のページングスクランブルコードを使用して前記第1のページングメッセージをスクランブル処理し前記ページングエリア内の前記複数のセル間の干渉を回避する、処理モジュールとを備える、UE。
【請求項６】
前記受信モジュールは、前記基地局によって送信された前記第1のページングスクランブルコードを受信するようにさらに構成される、請求項5に記載のUE。
【請求項７】
前記第1のページングリソースは、マルチメディアブロードキャストマルチキャストサービス単一周波数ネットワーク(MBSFN)サブフレームの論理チャネルを含み、前記受信モジュールは、
前記基地局によって送信された前記MBSFNサブフレームのシーケンス番号および前記論理チャネルの識別子を受信するように特に構成される、請求項5に記載のUE。
【請求項８】
前記処理モジュールは、
前記ページングインディケーションによって示される第2のページングリソース上で、第2のページングスクランブルコードに従って第2のページングメッセージを受信するようにさらに構成され、前記第2のページングメッセージは、前記第2のページングメッセージに対応する前記第2のページングスクランブルコードを使用してスクランブル処理され、前記第2のページングメッセージは、セルページングにおいて使用されるページングメッセージである、請求項5から7のいずれか一項に記載のUE。
【請求項９】
ページングメッセージ送信方法であって、
基地局によって、ユーザ機器(UE)に第1のページングリソースの設定情報を送信するステップであって、前記第1のページングリソースは、前記基地局がページングエリアにおいてページングエリアページングを行う場合に使用されるページングリソースであり、前記ページングエリアは、複数のセルを含み、前記複数のセルのすべてが、前記第1のページングリソースを使用して前記UEにページングする、ステップと、
前記基地局によって、コアネットワークによって送信されたページング要求を受信するステップと、
前記基地局によって、前記ページング要求に従って前記UEに第1のページングインディケーションを送信するステップであって、前記第1のページングインディケーションは、前記第1のページングリソース上で、前記基地局によって送信された第1のページングメッセージを受信するように前記UEに命令するために使用され、前記第1のページングメッセージは、前記ページングエリアページングにおいて使用されるページングメッセージである、ステップと、
前記第1のページングリソース上で前記基地局によって、前記UEに前記第1のページングメッセージを送信するステップであって、前記第1のページングメッセージは、前記第1のページングメッセージに対応する第1のページングスクランブルコードを使用してスクランブル処理され、前記第1のページングメッセージを送信する際には、前記複数のセルのすべてが、前記第1のページングスクランブルコードを使用して前記第1のページングメッセージをスクランブル処理し前記ページングエリア内の前記複数のセル間の干渉を回避する、ステップとを含む、方法。
【請求項１０】
前記ページング要求は、第1の送信時点を含み、前記基地局によって、前記ページング要求に従って前記UEに第1のページングインディケーションを送信するステップは、
前記基地局によって、前記第1の送信時点に従って前記UEに前記第1のページングインディケーションを送信するステップを含む、請求項9に記載の方法。
【請求項１１】
前記ページング要求は、第2の送信時点を含み、前記第1のページングリソース上で前記基地局によって、前記UEに前記第1のページングメッセージを送信するステップは、
前記第1のページングリソース上で前記基地局によって、前記第2の送信時点に従って前記UEに前記第1のページングメッセージを送信するステップを含む、請求項9に記載の方法。
【請求項１２】
前記方法は、
前記基地局によって、前記UEに前記第1のページングスクランブルコードを送信するステップをさらに含む、請求項9に記載の方法。
【請求項１３】
ページングメッセージ受信方法であって、
ユーザ機器(UE)によって、第1のページングリソースのものであるとともに基地局によって送信された設定情報を受信するステップであって、前記第1のページングリソースは、前記基地局がページングエリアにおいてページングエリアページングを行う場合に使用されるページングリソースであり、前記ページングエリアは、複数のセルを含み、前記複数のセルのすべてが、前記第1のページングリソースを使用して前記UEにページングする、ステップと、
前記UEによって、前記基地局によって送信されたページングインディケーションを受信するステップと、
前記ページングインディケーションに従うとともに第1のページングスクランブルコードを使用して前記第1のページングリソース上で前記UEによって、前記基地局によって送信された第1のページングメッセージを受信するステップであって、前記第1のページングメッセージは、前記第1のページングメッセージに対応する前記第1のページングスクランブルコードを使用してスクランブル処理され、前記第1のページングメッセージは、前記ページングエリアページングにおいて使用されるページングメッセージであり、前記第1のページングメッセージを送信する際には、前記複数のセルのすべてが、前記第1のページングスクランブルコードを使用して前記第1のページングメッセージをスクランブル処理し前記ページングエリア内の前記複数のセル間の干渉を回避する、ステップとを含む、方法。
【請求項１４】
前記ページングインディケーションに従うとともに第1のページングスクランブルコードを使用して前記第1のページングリソース上で前記UEによって、前記基地局によって送信された第1のページングメッセージを受信するステップの前に、前記方法は、
前記UEによって、前記基地局によって送信された前記第1のページングスクランブルコードを受信するステップをさらに含む、請求項13に記載の方法。
【請求項１５】
前記第1のページングリソースは、マルチメディアブロードキャストマルチキャストサービス単一周波数ネットワーク(MBSFN)サブフレームの論理チャネルを含み、前記UEによって、第1のページングリソースのものであるとともに基地局によって送信された設定情報を受信するステップは、
前記UEによって、前記基地局によって送信された前記MBSFNサブフレームのシーケンス番号および前記論理チャネルの識別子を受信するステップを含む、請求項13に記載の方法。
【発明の詳細な説明】
【技術分野】
【０００１】
本発明の実施形態は、通信技術に関し、詳細には、ページングメッセージ送信方法、ページングメッセージ受信方法、およびデバイスに関する。
【背景技術】
【０００２】
ロング・ターム・エボリューション(Long Term Evolution、略して、LTE)およびLTEアドバンスト(LTE-advanced、略して、LTE-A)システムにおいては、基地局は、ページング(Paging)メッセージを送信して、サービスを確立するようにアイドル状態(Idle)のユーザ機器(User Equipment、略して、UE)に命令する、または、システムメッセージが変更され、UEが変更されたシステムメッセージをリロードする必要があることをUEに通知する。ページングメッセージ送信の範囲に従って、ページングは、以下の2つの方式のページングエリアページングとセルページングとに分類される。ページングエリアは、複数のセルを含む。ページングエリアページング方式では、ページングメッセージは、ページングエリア全体において送信され、サービスを確立するようにアイドル状態にあるUEに命令するために主に使用される。セルページング方式では、ページングメッセージは、セル内のみで送信され、セルシステム情報が変更されたことをセル内のUEに通知するために主に使用される。
【０００３】
従来技術では、ページングエリアページングを行う場合には、複数の基地局は、複数のセル内の同一のUEにページングすることになる、すなわち、複数の基地局の各々が、ページングメッセージを送信し、基地局は、ページングメッセージを送信する際に、異なるセルスクランブルコードを使用してページングメッセージをスクランブル処理する。したがって、複数のセルのページングメッセージに含まれるコンテンツが同一であるにもかかわらず、異なるセルは異なるセルスクランブルコードを使用してページングメッセージをスクランブル処理しているため、ページングメッセージは、互いに干渉することになり、UEのページング成功率は、比較的低くなる。
【発明の概要】
【課題を解決するための手段】
【０００４】
本発明の実施形態は、ページングメッセージ送信方法、ページングメッセージ受信方法、およびデバイスを提供している、その結果、ページングエリア内の複数のセルによって送信されたページングメッセージが、互いに干渉しなくなり、それによって、UEのページング成功率を増大している。
【０００５】
本発明の第1の態様は、基地局を提供し、基地局は、
UEに第1のページングリソースの設定情報を送信するように構成される、送信モジュールであって、第1のページングリソースは、基地局がページングエリアページングを行う場合に使用されるページングリソースであり、ページングエリアは、複数のセルを含み、複数のセルのすべてが、第1のページングリソースを使用してUEにページングする、送信モジュールと、
コアネットワークによって送信されたページング要求を受信するように構成される、受信モジュールと、
ページング要求に従ってUEに第1のページングインディケーションを送信するように構成される、処理モジュールであって、第1のページングインディケーションは、第1のページングリソース上で、基地局によって送信された第1のページングメッセージを受信するようにUEに命令するために使用され、第1のページングメッセージは、ページングエリアページングにおいて使用されるページングメッセージである、処理モジュールとを備え、
処理モジュールは、第1のページングリソース上で、UEに第1のページングメッセージを送信するようにさらに構成され、第1のページングメッセージは、第1のページングスクランブルコードを使用してスクランブル処理され、第1のページングメッセージを送信する際には、複数のセルのすべてが、第1のページングスクランブルコードを使用して第1のページングメッセージをスクランブル処理する。
【０００６】
本発明の第1の態様に準拠している、本発明の第1の態様の第1の可能な実施形態においては、ページング要求は、第1の送信時点を含み、処理モジュールは、
第1の送信時点に従ってUEに第1のページングインディケーションを送信するように特に構成される。
【０００７】
本発明の第1の態様に準拠している、本発明の第1の態様の第2の可能な実施形態においては、ページング要求は、第2の送信時点を含み、処理モジュールは、
第1のページングリソース上で、第2の送信時点に従ってUEに第1のページングメッセージを送信するように特に構成される。
【０００８】
本発明の第1の態様に準拠している、本発明の第1の態様の第3の可能な実施形態においては、送信モジュールは、UEに第1のページングスクランブルコードを送信するようにさらに構成される。
【０００９】
本発明の第1の態様または本発明の第1の態様の第1から第3の可能な実施形態のいずれか1つに準拠している、本発明の第1の態様の第4の可能な実施形態においては、第1のページングリソースは、マルチメディアブロードキャストマルチキャストサービス単一周波数ネットワークMBSFNサブフレームの論理チャネルを含み、送信モジュールは、
UEにMBSFNサブフレームのシーケンス番号および論理チャネルの識別子を送信するように特に構成される。
【００１０】
本発明の第1の態様の第4の可能な実施形態に準拠している、本発明の第1の態様の第5の可能な実施形態においては、第1のページングインディケーションは、物理ダウンリンク制御チャネルPDCCHを使用して送信され、処理モジュールは、
ページング要求に従うとともに第1のページングインディケーションに対応するPDCCHフォーマットを使用してUEに第1のページングインディケーションを送信するように特に構成される。
【００１１】
本発明の第1の態様の第4の可能な実施形態に準拠している、本発明の第1の態様の第6の可能な実施形態においては、処理モジュールは、
第1のページングインディケーションをマスク処理し、ページング要求に従うとともに第1のページングインディケーションに対応する第1の無線ネットワークテンポラリ情報RNTIを使用してUEに第1のページングインディケーションを送信するように特に構成される。
【００１２】
本発明の第2の態様は、UEを提供し、UEは、
第1のページングリソースのものであるとともに基地局によって送信された設定情報を受信するように構成される、受信モジュールであって、第1のページングリソースは、基地局がページングエリアページングを行う場合に使用されるページングリソースであり、ページングエリアは、複数のセルを含み、複数のセルのすべてが、第1のページングリソースを使用してUEにページングし、
受信モジュールは、基地局によって送信されたページングインディケーションを受信するようにさらに構成される、受信モジュールと、
ページングインディケーションに従うとともに第1のページングスクランブルコードを使用して第1のページングリソース上で、基地局によって送信された第1のページングメッセージを受信するように構成される、処理モジュールであって、第1のページングメッセージは、第1のページングスクランブルコードを使用してスクランブル処理され、第1のページングメッセージは、ページングエリアページングにおいて使用されるページングメッセージであり、第1のページングメッセージを送信する際には、複数のセルのすべてが、第1のページングスクランブルコードを使用して第1のページングメッセージをスクランブル処理する、処理モジュールとを備える。
【００１３】
本発明の第2の態様に準拠している、本発明の第2の態様の第1の可能な実施形態においては、受信モジュールは、基地局によって送信された第1のページングスクランブルコードを受信するようにさらに構成される。
【００１４】
本発明の第2の態様に準拠している、本発明の第2の態様の第2の可能な実施形態においては、第1のページングリソースは、MBSFNサブフレームの論理チャネルを含み、受信モジュールは、
基地局によって送信されたMBSFNサブフレームのシーケンス番号および論理チャネルの識別子を受信するように特に構成される。
【００１５】
本発明の第2の態様または本発明の第2の態様の第1または第2の可能な実施形態のいずれか1つに準拠している、本発明の第2の態様の第3の可能な実施形態においては、処理モジュールは、
ページングインディケーションによって示される第2のページングリソース上で、第2のページングスクランブルコードに従って第2のページングメッセージを受信するようにさらに構成され、第2のページングメッセージは、第2のページングスクランブルコードを使用してスクランブル処理され、第2のページングメッセージは、セルページングにおいて使用されるページングメッセージである。
【００１６】
本発明の第2の態様または本発明の第2の態様の第1または第2の可能な実施形態のいずれか1つに準拠している、本発明の第2の態様の第4の可能な実施形態においては、ページングインディケーションがPDCCHを使用して送信され、処理モジュールは、
ページングインディケーションに対応するPDCCHフォーマットに従って、基地局のページング方式がページングエリアページングであると決定することであって、ページングインディケーションに対応するPDCCHフォーマットは、第1のページングインディケーションに対応するPDCCHフォーマットおよび第2のページングインディケーションに対応するPDCCHフォーマットを含み、第1のページングインディケーションは、第1のページングリソース上で、基地局によって送信された第1のページングメッセージを受信するようにUEに命令するために使用され、第2のページングインディケーションは、第2のページングリソース上で、基地局によって送信された第2のページングメッセージを受信するようにUEに命令するために使用され、第2のページングリソースは、基地局がセルページングを行う場合に使用されるページングリソースであり、第2のページングメッセージは、セルページングにおいて使用されるページングメッセージである、決定することをし、
第1のページングスクランブルコードを使用して第1のページングリソース上で、基地局によって送信された第1のページングメッセージを受信するように特に構成される。
【００１７】
本発明の第2の態様の第4の可能な実施形態に準拠している、本発明の第2の態様の第5の可能な実施形態においては、UEが、ページングインディケーションに対応するPDCCHフォーマットに従って、基地局のページング方式がセルページングであると決定した場合には、処理モジュールは、
第2のページングスクランブルコードを使用して第2のページングリソース上で、基地局によって送信された第2のページングメッセージを受信するようにさらに構成され、第2のページングメッセージは、第2のページングスクランブルコードを使用してスクランブル処理される。
【００１８】
本発明の第2の態様または本発明の第2の態様の第1または第2の可能な実施形態のいずれか1つに準拠している、本発明の第2の態様の第6の可能な実施形態においては、処理モジュールは、
第1のページングインディケーションに対応する第1のRNTIを使用してページングインディケーションを受信するように特に構成され、第1のページングインディケーションは、第1のページングリソース上で、基地局によって送信された第1のページングメッセージを受信するようにUEに命令するために使用される。
【００１９】
本発明の第3の態様は、ページングメッセージ送信方法を提供し、ページングメッセージ送信方法は、
基地局によって、UEに第1のページングリソースの設定情報を送信するステップであって、第1のページングリソースは、基地局がページングエリアページングを行う場合に使用されるページングリソースであり、ページングエリアは、複数のセルを含み、複数のセルのすべてが、第1のページングリソースを使用してUEにページングする、ステップと、
基地局によって、コアネットワークによって送信されたページング要求を受信するステップと、
基地局によって、ページング要求に従ってUEに第1のページングインディケーションを送信するステップであって、第1のページングインディケーションは、第1のページングリソース上で、基地局によって送信された第1のページングメッセージを受信するようにUEに命令するために使用され、第1のページングメッセージは、ページングエリアページングにおいて使用されるページングメッセージである、ステップと、
第1のページングリソース上で基地局によって、UEに第1のページングメッセージを送信するステップであって、第1のページングメッセージは、第1のページングスクランブルコードを使用してスクランブル処理され、第1のページングメッセージを送信する際には、複数のセルのすべてが、第1のページングスクランブルコードを使用して第1のページングメッセージをスクランブル処理する、ステップとを含む。
【００２０】
本発明の第3の態様に準拠している、本発明の第3の態様の第1の可能な実施形態においては、ページング要求は、第1の送信時点を含み、基地局によって、ページング要求に従ってUEに第1のページングインディケーションを送信するステップは、
基地局によって、第1の送信時点に従ってUEに第1のページングインディケーションを送信するステップを含む。
【００２１】
本発明の第3の態様に準拠している、本発明の第3の態様の第2の可能な実施形態においては、ページング要求は、第2の送信時点を含み、第1のページングリソース上で基地局によって、UEに第1のページングメッセージを送信するステップは、
第1のページングリソース上で基地局によって、第2の送信時点に従ってUEに第1のページングメッセージを送信するステップを含む。
【００２２】
本発明の第3の態様に準拠している、本発明の第3の態様の第3の可能な実施形態においては、方法は、
基地局によって、UEに第1のページングスクランブルコードを送信するステップをさらに含む。
【００２３】
本発明の第3の態様または本発明の第3の態様の第1から第3の可能な実施形態のいずれか1つに準拠している、本発明の第3の態様の第4の可能な実施形態においては、第1のページングリソースは、MBSFNサブフレームの論理チャネルを含み、基地局によって、ユーザ機器UEに第1のページングリソースの設定情報を送信するステップは、
基地局によって、UEにMBSFNサブフレームのシーケンス番号および論理チャネルの識別子を送信するステップを含む。
【００２４】
本発明の第3の態様の第4の可能な実施形態に準拠している、本発明の第3の態様の第5の可能な実施形態においては、第1のページングインディケーションがPDCCHを使用して送信され、基地局によって、ページング要求に従ってUEに第1のページングインディケーションを送信するステップは、
基地局によって、ページング要求に従うとともに第1のページングインディケーションに対応するPDCCHフォーマットを使用してUEに第1のページングインディケーションを送信するステップを含む。
【００２５】
本発明の第3の態様の第4の可能な実施形態に準拠している、本発明の第3の態様の第6の可能な実施形態においては、基地局によって、ページング要求に従ってUEに第1のページングインディケーションを送信するステップは、
基地局によって、第1のページングインディケーションをマスク処理し、ページング要求に従うとともに第1のページングインディケーションに対応する第1の無線ネットワークテンポラリ情報RNTIを使用してUEに第1のページングインディケーションを送信するステップを含む。
【００２６】
本発明の第4の態様は、ページングメッセージ受信方法を提供し、ページングメッセージ受信方法は、
UEによって、第1のページングリソースのものであるとともに基地局によって送信された設定情報を受信するステップであって、第1のページングリソースは、基地局がページングエリアページングを行う場合に使用されるページングリソースであり、ページングエリアは、複数のセルを含み、複数のセルのすべてが、第1のページングリソースを使用してUEにページングする、ステップと、
UEによって、基地局によって送信されたページングインディケーションを受信するステップと、
ページングインディケーションに従うとともに第1のページングスクランブルコードを使用して第1のページングリソース上でUEによって、基地局によって送信された第1のページングメッセージを受信するステップであって、第1のページングメッセージは、第1のページングスクランブルコードを使用してスクランブル処理され、第1のページングメッセージは、ページングエリアページングにおいて使用されるページングメッセージであり、第1のページングメッセージを送信する際には、複数のセルのすべてが、第1のページングスクランブルコードを使用して第1のページングメッセージをスクランブル処理する、ステップとを含む。
【００２７】
本発明の第4の態様に準拠している、本発明の第4の態様の第1の可能な実施形態においては、ページングインディケーションに従うとともに第1のページングスクランブルコードを使用して第1のページングリソース上でUEによって、基地局によって送信された第1のページングメッセージを受信するステップの前に、方法は、
UEによって、基地局によって送信された第1のページングスクランブルコードを受信するステップをさらに含む。
【００２８】
本発明の第4の態様に準拠している、本発明の第4の態様の第2の可能な実施形態においては、第1のページングリソースは、MBSFNサブフレームの論理チャネルを含み、UEによって、第1のページングリソースのものであるとともに基地局によって送信された設定情報を受信するステップは、
UEによって、基地局によって送信されたMBSFNサブフレームのシーケンス番号および論理チャネルの識別子を受信するステップを含む。
【００２９】
本発明の第4の態様または本発明の第4の態様の第1または第2の可能な実施形態のいずれか1つに準拠している、本発明の第4の態様の第3の可能な実施形態においては、方法は、
ページングインディケーションによって示される第2のページングリソース上でUEによって、第2のページングスクランブルコードに従って第2のページングメッセージを受信するステップをさらに含み、第2のページングメッセージは、第2のページングスクランブルコードを使用してスクランブル処理され、第2のページングメッセージは、セルページングにおいて使用されるページングメッセージである。
【００３０】
本発明の第4の態様または本発明の第4の態様の第1または第2の可能な実施形態のいずれか1つに準拠している、本発明の第4の態様の第4の可能な実施形態においては、ページングインディケーションがPDCCHを使用して送信され、ページングインディケーションに従うとともに第1のページングスクランブルコードを使用して第1のページングリソース上でUEによって、基地局によって送信された第1のページングメッセージを受信するステップは、
ページングインディケーションに対応するPDCCHフォーマットに従ってUEによって、基地局のページング方式がページングエリアページングであると決定するステップであって、ページングインディケーションに対応するPDCCHフォーマットは、第1のページングインディケーションに対応するPDCCHフォーマットおよび第2のページングインディケーションに対応するPDCCHフォーマットを含み、第1のページングインディケーションは、第1のページングリソース上で、基地局によって送信された第1のページングメッセージを受信するようにUEに命令するために使用され、第2のページングインディケーションは、第2のページングリソース上で、基地局によって送信された第2のページングメッセージを受信するようにUEに命令するために使用され、第2のページングリソースは、基地局がセルページングを行う場合に使用されるページングリソースであり、第2のページングメッセージは、セルページングにおいて使用されるページングメッセージである、ステップと、
第1のページングスクランブルコードを使用して第1のページングリソース上でUEによって、基地局によって送信された第1のページングメッセージを受信するステップとを含む。
【００３１】
本発明の第4の態様の第4の可能な実施形態に準拠している、本発明の第4の態様の第5の可能な実施形態においては、方法は、
UEが、ページングインディケーションに対応するPDCCHフォーマットに従って、基地局のページング方式がセルページングであると決定した場合には、第2のページングスクランブルコードを使用して第2のページングリソース上でUEによって、基地局によって送信された第2のページングメッセージを受信するステップをさらに含み、第2のページングメッセージは、第2のページングスクランブルコードを使用してスクランブル処理される。
【００３２】
本発明の第4の態様または本発明の第4の態様の第1または第2の可能な実施形態のいずれか1つに準拠している、本発明の第4の態様の第6の可能な実施形態においては、UEによって、基地局によって送信されたページングインディケーションを受信するステップは、
UEによって、第1のページングインディケーションに対応する第1のRNTIを使用してページングインディケーションを受信するステップを含み、第1のページングインディケーションは、第1のページングリソース上で、基地局によって送信された第1のページングメッセージを受信するようにUEに命令するために使用される。
【００３３】
本発明の実施形態において提供したページングメッセージ送信方法、ページングメッセージ受信方法、およびデバイスに従って、基地局は、UEに、UEのためのコアネットワークによって予約されている第1のページングリソースの設定情報を送信する。基地局がページングエリアページングをUEに対して行う場合には、基地局は、第1のページングリソース上で、UEに第1のページングメッセージを送信する。実施形態においては、ページングエリアに含まれるすべての複数のセルは、第1のページングリソースを使用してページングエリアページングを行い、第1のページングメッセージを送信する際には、複数のセルのすべてが、同一のページングスクランブルコードを使用して第1のページングメッセージをスクランブル処理する。したがって、複数のセルによって送信された第1のページングメッセージが、互いに干渉しなくなり、UEによって受信された第1のページングメッセージは、複数のページングエリアのページング信号の重畳となっており、それによって、UEのページング成功率を増大している。
【００３４】
本発明の実施形態におけるまたは従来技術における技術的ソリューションをより明確に説明するために、実施形態または従来技術を説明するために必要となる添付の図面を以下に簡単に説明する。以下の説明における添付の図面が本発明の実施形態の一部を示しており、当業者が創造的努力なしにこれらの添付の図面から他の図面をさらに導出し得ることは明らかであろう。
【図面の簡単な説明】
【００３５】
【図１】本発明の実施形態1による、基地局の概略構造図である。
【図２】本発明の実施形態2による、UEの概略構造図である。
【図３】本発明の実施形態3による、ページングメッセージ送信方法のフローチャートである。
【図４】本発明の実施形態4による、ページングメッセージ受信方法のフローチャートである。
【図５】本発明の実施形態5による、基地局の概略構造図である。
【図６】本発明の実施形態6による、UEの概略構造図である。
【発明を実施するための形態】
【００３６】
本発明の実施形態の目的、技術的ソリューション、および利点をより明確にするために、本発明の実施形態における添付の図面を参照して、本発明の実施形態における技術的解決手法を以下に明確かつ完全に説明する。説明した実施形態が本発明の実施形態のすべてではなく一部であることは明らかであろう。創造的努力なしに本発明の実施形態に基づいて当業者が得た他の実施形態のすべては、本発明の保護範囲に含まれるものとする。
【００３７】
図1は、本発明の実施形態1による、基地局の概略構造図である。図1に示したように、本実施形態において提供した基地局は、送信モジュール11、受信モジュール12、および処理モジュール13を含む。
【００３８】
送信モジュール11は、UEに第1のページングリソースの設定情報を送信するように構成される。第1のページングリソースは、基地局がページングエリアページングを行う場合に使用されるページングリソースであり、ページングエリアは、複数のセルを含み、複数のセルのすべてが、第1のページングリソースを使用してUEにページングする。
【００３９】
本実施形態においては、コアネットワークは、第1のページングリソースをUEに割り振り、第1のページングリソースは、ページングエリアページングを行うために特に使用される。コアネットワークは、第1のページングリソースの設定情報を基地局に送信し、基地局は、第1のページングリソースの設定情報をページングエリア内のすべてのUEに送信する。ページングエリアは、複数のセルを含む。UEがページングエリア内の複数のセル間を移動する場合には、コアネットワークは、通知を受ける必要はない。UEにページングするたびに、コアネットワークは、ページングエリア全体においてページングを行う、すなわち、ページングエリアに含まれる複数のセル内のUEに別々にページングをする。各セルが位置する基地局は、ページング処理中に基地局のセル内で第1のページングメッセージをブロードキャストする。第1のページングメッセージは、ページングエリアページングにおいて使用されるページングメッセージであり、第1のページングメッセージは、ページングされる必要があるすべてのUEの識別子を含み、セルのすべてによって送信された第1のページングメッセージのコンテンツが同一である。
【００４０】
ページングエリアは、具体的には、トラッキングエリア(Tracking Area、略して、TA)、ロケーションエリア(Location Area、略して、LA)、またはルーティングエリア(Rounting Area、略して、RA)であり得る。第1のページングリソースは、周波数リソースおよび時間リソースを含む、例えば、時間リソースは、各無線フレームのサブフレーム0およびサブフレーム4であり、周波数リソースは、リソースブロック20-30である。各セルが位置する基地局がページングエリアページングをスケジューリングする場合には、第1のページングリソースのみが、第1のページングメッセージを送信するために使用され得る。必要に応じて、基地局が第1のページングリソース上でのページングエリアページングをスケジューリングしていない場合には、基地局は、第1のページングリソースを使用して別のサービスを送信してもよく、その結果、ネットワークリソースを十分に使用することができる。
【００４１】
必要に応じて、第1のページングリソースは、マルチメディアブロードキャストマルチキャストサービス単一周波数ネットワーク(Multimedia Broadcast multicast service Single Frequency Network、略して、MBSFN)サブフレームの論理チャネルを含む。いくつかのサブフレームセットが、MBSFNにおいて指定されており、特定のサブフレームセットのすべてが、全MBSFNエリア全体のセルのすべてに一致している。MBSFNエリア内のセルのすべてが、特定のサブフレームセット上で同一のサービスを送信する。例えば、特定のサブフレームセットは、各無線フレームのサブフレーム5およびサブフレーム6である。MBSFNエリア内のセルのすべてが、各無線フレームのサブフレーム5およびサブフレーム6上で同一のサービスを送信しており、特定のサブフレームセット内の各サブフレームをMBSFNサブフレームと称する。1つのMBSFNサブフレームが、複数の論理チャネルに対応しており、各論理チャネルは、異なるサービスを送信するために使用される。MBSFNサブフレーム上で第1のページングメッセージを送信するために、MCEは、基地局のために論理チャネルを構成する必要があり、論理チャネルは、第1のページングメッセージを送信するように特に構成される。
【００４２】
それに対応するように、送信モジュール11は、UEにMBSFNサブフレームのシーケンス番号および論理チャネルの識別子を送信するように特に構成される。基地局は、UEが論理チャネル上の第1のページングメッセージを監視するように、マルチキャストチャネル(Multiple Channel、略して、MCCH)を使用してUEにMBSFNサブフレームのシーケンス番号および論理チャネルの識別子を送信し得る。
【００４３】
受信モジュール12は、コアネットワークによって送信されたページング要求を受信するように構成される。
【００４４】
コアネットワークがアイドル状態にあるUEに対してサービスを確立する必要がある場合には、コアネットワークは、ページングエリアページングをトリガするためにページングエリア内の各セルにページング要求を送信する。必要に応じて、ページング要求は、ページングエリア内のすべての基地局が第1の送信時点において第1のページングインディケーションを同時に送信するように、第1の送信時点を含む。ページングエリア内の基地局のすべてが、ページングエリア内のそれぞれのセルが位置する基地局である。必要に応じて、ページング要求は、ページングエリア内のセルが第2の送信時点において第1のページングメッセージを同時に送信するように、第2の送信時点を含む。
【００４５】
処理モジュール13は、ページング要求に従ってUEに第1のページングインディケーションを送信するように構成される。第1のページングインディケーションは、第1のページングリソース上で、基地局によって送信された第1のページングメッセージを受信するようにUEに命令するために使用され、第1のページングメッセージは、ページングエリアページングにおいて使用されるページングメッセージである。
【００４６】
必要に応じて、ページング要求が第1の送信時点を含む場合には、処理モジュール13は、第1の送信時点に従ってUEに第1のページングインディケーションを送信するように特に構成される。本実施形態においては、ページングエリア内の複数のセルのすべてが、第1の送信時点においてUEに第1のページングインディケーションを送信する。このことが、ページングエリア内のセルのすべてが、UEに第1のページングインディケーションを同時に送信し、第1のページングインディケーションを送信する際にセルが互いに干渉することを回避することを保証することを可能にしている。必要に応じて、ページング要求が第2の送信時点を含む場合には、処理モジュール13は、第1のページングリソース上で、第2の送信時点に従ってUEに第1のページングメッセージを送信するように特に構成される。本実施形態においては、ページングエリア内のセルのすべてが、第2の送信時点においてUEに第1のページングメッセージを送信する。このことが、ページングエリア内のセルのすべてが、UEに第1のページングメッセージを同時に送信し、第1のページングメッセージを送信する際にセルが互いに干渉することを回避し、UEのページング成功率を増大することを保証することを可能にしている。
【００４７】
必要に応じて、第1のページングインディケーションに対応するPDCCHフォーマットは、第2のページングインディケーションに対応するPDCCHフォーマットと同一であり、第1のページングインディケーションをマスク処理するために使用される第1の無線ネットワークテンポラリ情報(Radio Network Tempory Identity、略して、RNTI)は、第2のページングインディケーションをマスク処理するために使用される第2のRNTIと同一である。第2のページングインディケーションは、第2のページングリソース上で、基地局によって送信された第2のページングメッセージを受信するようにUEに命令するために使用される。第2のページングリソースは、基地局がセルページングを行う場合に使用されるページングリソースであり、第2のページングメッセージは、セルページングにおいて使用されるページングメッセージである。セルページングとページングエリアページングとのページング範囲が異なる。セルページングのページング範囲は、1つのセルであり、ページングエリアページングのページング範囲は、複数のセルである。本実施形態においては、第1のページングリソースをページングエリアページングにおいてのみ使用することができ、第2のページングリソースをセルページングにおいてのみ使用することができる。セルページングのページング方式は、従来技術におけるものと同一であり、セルページングにおいて使用される第2のページングリソースは、物理ダウンリンク共通チャネル(Physical Downlink Shared Channel、略して、PDSCH)である。
【００４８】
第1のページングインディケーションに対応するPDCCHフォーマットが第2のページングインディケーションに対応するPDCCHフォーマットと同一であるとともに、第1のRNTIが第2のRNTIと同一であるために、ページングインディケーションを受信した後に、UEは、受信したページングインディケーションが第1のページングインディケーションであるかまたは第2のページングインディケーションであるかを識別することができない、すなわち、UEは、現在のページング方式がページングエリアページングであるかまたはセルページングであるかを決定することができない。この場合には、UEは、ページングメッセージを第1のページングリソース上で受信するのかまたは第2のページングリソース上で受信するのかを把握していない。UEが第1のページングメッセージを見逃さないことを保証するために、UEは、ページングメッセージを第1のページングリソース上および第2のページングリソース上の双方で受信する必要がある。ページングメッセージを受信した後に、UEは、ページングメッセージのコンテンツに従って、第1のページングメッセージを受信するかまたは第2のページングメッセージを受信するかを決定する。
【００４９】
必要に応じて、第1のページングインディケーションに対応するPDCCHフォーマットは、第2のページングインディケーションに対応するPDCCHフォーマットと異なっており、基地局およびUEは、ページングインディケーションに対応するPDCCHフォーマットに従ってページングエリアページングとセルページングとを識別する。このように、基地局は、同一のRNTIを使用して第1のページングインディケーションおよび第2のページングインディケーションをマスク処理し得る。例えば、基地局は、第2のページングインディケーションをマスク処理するために使用される既存の第2のRNTIを使用して第1のページングインディケーションおよび第2のページングインディケーションをマスク処理する。基地局がページングエリアページングを行う場合には、処理モジュール13は、ページング要求に従うとともに第1のページングインディケーションに対応するPDCCHフォーマットを使用してUEに第1のページングインディケーションを送信するように特に構成される。ページングインディケーションを受信した後に、UEは、受信したページングインディケーションに対応するPDCCHフォーマットに従って、ページングインディケーションが第1のページングインディケーションであるかまたは第2のページングインディケーションであるかを決定する。UEによって受信されたページングインディケーションが第1のページングインディケーションである場合には、現在のページング方式がページングエリアページングであることを示しており、UEは、第1のページングリソース上で、基地局によって送信された第1のページングメッセージを受信する。UEによって受信されたページングインディケーションが第2のページングインディケーションである場合には、現在のページング方式がセルページングであることを示しており、UEは、第2のページングインディケーションによって示される第2のページングリソース上で、基地局によって送信された第2のページングメッセージを受信する。
【００５０】
必要に応じて、第1のページングインディケーションをマスク処理するために使用される第1のRNTIは、第2のページングインディケーションをマスク処理するために使用される第2のRNTIとは異なる。基地局およびUEは、第1のRNTIおよび第2のRNTIに従って第1のページングインディケーションと第2のページングインディケーションとを識別する。基地局がページングエリアページングを行う場合には、処理モジュール13は、第1のページングインディケーションをマスク処理し、ページング要求に従うとともに第1のページングインディケーションに対応する第1のRNTIを使用してUEに第1のページングインディケーションを送信するように特に構成される。受信端において、UEは、第1のRNTIに従ってページングインディケーションを受信する。UEが第1のRNTIに従ってページングインディケーションを受信している場合には、UEによって受信されたページングインディケーションが第1のページングインディケーションであることを示しており、UEは、第1のページングリソース上で、基地局によって送信された第1のページングメッセージを受信する。UEが第1のRNTIを使用してページングインディケーションを受信していない場合には、UEによって受信されたページングインディケーションが第2のページングインディケーションであることを示しており、UEは、第2のページングリソース上で、基地局によって送信された第2のページングメッセージを受信する。
【００５１】
処理モジュール13は、第1のページングリソース上で、UEに第1のページングメッセージを送信するようにさらに構成される。第1のページングメッセージは、第1のページングスクランブルコードを使用してスクランブル処理され、第1のページングメッセージを送信する際には、複数のセルのすべてが、第1のページングスクランブルコードを使用して第1のページングメッセージをスクランブル処理する。
【００５２】
本実施形態においては、ページングエリア内のセルのすべてが、第1のページングスクランブルコードを使用して第1のページングメッセージをスクランブル処理し、第1のページングリソース上で、UEにスクランブルされた第1のページングメッセージを送信する。したがって、複数のセルによって送信された第1のページングメッセージが、互いに干渉しなくなり、UEによって受信された第1のページングメッセージは、複数のページングエリアのページング信号の重畳となっており、それによって、UEのページング成功率を増大している。特定の実施形態においては、送信モジュール11は、第1のページングリソースの特定の基準シンボルの分布図に従って第1のページングリソースを決定する。第1のページングリソースの特定の基準シンボルの分布図は、第1のページングリソースの周波数リソースおよび時間リソースを特に指定している。
【００５３】
本実施形態においては、基地局は、UEに、UEのためのコアネットワークによって予約されている第1のページングリソースの設定情報を送信する。基地局がページングエリアページングをUEに対して行う場合には、基地局は、第1のページングリソース上で、UEに第1のページングメッセージを送信する。本実施形態においては、ページングエリアに含まれるすべての複数のセルは、第1のページングリソースを使用してページングエリアページングを行い、複数のセルのすべてが、第1のページングメッセージを送信する際には、同一の第1のページングスクランブルコードを使用して第1のページングメッセージをスクランブル処理する。したがって、複数のセルによって送信された第1のページングメッセージが、互いに干渉しなくなり、UEによって受信された第1のページングメッセージは、複数のページングエリアのページング信号の重畳となっており、それによって、UEのページング成功率を増大している。
【００５４】
図2は、本発明の実施形態2による、UEの概略構造図である。図2に示したように、本実施形態において提供したUEは、受信モジュール21および処理モジュール22を備える。
【００５５】
受信モジュール21は、第1のページングリソースのものであるとともに基地局によって送信された設定情報を受信するように構成される。第1のページングリソースは、基地局がページングエリアページングを行う場合に使用されるページングリソースであり、ページングエリアは、複数のセルを含み、複数のセルのすべてが、第1のページングリソースを使用してUEにページングする。
【００５６】
必要に応じて、第1のページングリソースは、MBSFNサブフレームの論理チャネルを含み、受信モジュール21は、基地局によって送信されたMBSFNサブフレームのシーケンス番号および論理チャネルの識別子を受信するように特に構成される。その後、UEは、MBSFNサブフレームのシーケンス番号および論理チャネルの識別子に従って、基地局によって送信された第1のページングメッセージを受信する。
【００５７】
受信モジュール21は、基地局によって送信されたページングインディケーションを受信するようにさらに構成される。
【００５８】
処理モジュール22は、ページングインディケーションに従うとともに第1のページングスクランブルコードを使用して第1のページングリソース上で、基地局によって送信された第1のページングメッセージを受信するように構成される。第1のページングメッセージは、第1のページングスクランブルコードを使用してスクランブル処理され、第1のページングメッセージは、ページングエリアページングにおいて使用されるページングメッセージであり、第1のページングメッセージを送信する際には、複数のセルのすべてが、第1のページングスクランブルコードを使用して第1のページングメッセージをスクランブル処理する。
【００５９】
特に、処理モジュール22は、以下の3つの方式で第1のページングメッセージを受信する。
【００６０】
(1) 第1のページングインディケーションに対応するPDCCHフォーマットは、第2のページングインディケーションに対応するPDCCHフォーマットと同一であり、第1のページングインディケーションをマスク処理するために使用される第1のRNTIは、第2のページングインディケーションをマスク処理するために使用される第2のRNTIと同一である。この場合には、処理モジュール22は、ページングインディケーションに従うとともに第1のページングスクランブルコードを使用して第1のページングリソース上および第2のページングリソース上の別々で、基地局によって送信された第1のページングメッセージを受信するように特に構成される。処理モジュール22は、ページングインディケーションによって示される第2のページングリソース上で、第2のページングスクランブルコードに従って第2のページングメッセージを受信するようにさらに構成される。第2のページングメッセージは、第2のページングスクランブルコードを使用してスクランブル処理され、第2のページングメッセージは、セルページングにおいて使用されるページングメッセージである。
【００６１】
(2) 第1のページングインディケーションに対応するPDCCHフォーマットが第2のページングインディケーションに対応するPDCCHフォーマットとは異なる場合には、基地局およびUEは、ページングインディケーションに対応するPDCCHフォーマットに従ってページングエリアページングとセルページングとを識別する。処理モジュール22は、ページングインディケーションに対応するPDCCHフォーマットに従って、基地局のページング方式がページングエリアページングであると決定するように特に構成される。例えば、ページングエリアに対応する第1のページングインディケーションに対応するPDCCHフォーマットは、1Aであり、第2のページングインディケーションに対応するPDCCHフォーマットは、1Cであり、処理モジュール22は、受信モジュール21によって受信されたページングインディケーションに対応するPDCCHフォーマットが1Aであるかまたは1Cであるかを決定する。受信したページングインディケーションに対応するPDCCHフォーマットが1Aである場合には、処理モジュール22は、現在のページング方式がページングエリアページングであると決定し、処理モジュール22は、第1のページングスクランブルコードを使用して第1のページングリソース上で、基地局によって送信された第1のページングメッセージを受信する。受信したページングインディケーションに対応するPDCCHフォーマットが1Cである場合には、処理モジュール22は、現在のページング方式がセルページングであると決定し、処理モジュール22は、第2のページングリソース上で第2のページングスクランブルコードを使用して、基地局によって送信された第2のページングメッセージを受信するようにさらに構成される。
【００６２】
(3) 第1のページングインディケーションが第1のRNTIを使用してマスク処理され、第1のRNTIが第2のページングインディケーションをマスク処理するために使用される第2のRNTIとは異なる場合には、基地局およびUEは、第1のRNTIおよび第2のRNTIに従って第1のページングインディケーションと第2のページングインディケーションとを識別する。受信モジュール21は、第1のページングインディケーションに対応する第1のRNTIを使用してページングインディケーションを受信するように特に構成される。受信モジュール21が第1のRNTIを使用してページングインディケーションを受信することに成功した場合には、ページングインディケーションが第1のページングインディケーションであるとともに、現在のページング方式がページングエリアページングであると決定され、UEは、第1のページングスクランブルコードを使用して第1のページングリソース上で、基地局によって送信された第1のページングメッセージを受信する。UEが第1のRNTIを使用してページングインディケーションを受信していない場合には、UEは、ページングインディケーションが第2のページングインディケーションであると決定し、現在のページング方式は、セルページングであり、UEは、第2のページングリソース上で第2のページングスクランブルコードを使用して、基地局によって送信された第2のページングメッセージを受信する。
【００６３】
本実施形態においては、UEは、第1のページングリソースのものであるとともに基地局によって送信された設定情報を受信し、第1のページングリソースは、基地局がページングエリアページングを行う場合に使用されるページングリソースである。基地局がページングエリアページングを行う必要がある場合には、基地局は、UEにページングインディケーションを送信する。UEは、受信したページングインディケーションに従うとともに第1のページングスクランブルコードを使用して第1のページングリソース上で、第1のページングスクランブルコードを使用してスクランブル処理されるとともに基地局によって送信される第1のページングメッセージを受信する。本実施形態においては、ページングエリアに含まれるすべての複数のセルは、第1のページングリソースを使用してページングエリアページングを行い、第1のページングメッセージを送信する際には、複数のセルのすべてが、第1のページングスクランブルコードを使用して第1のページングメッセージをスクランブル処理する。したがって、複数のセルによって送信された第1のページングメッセージが、互いに干渉しなくなり、UEによって受信された第1のページングメッセージは、複数のページングエリアのページング信号の重畳となっており、それによって、UEのページング成功率を増大している。
【００６４】
図3は、本発明の実施形態3による、ページングメッセージ送信方法のフローチャートである。図3に示したように、本実施形態における方法は、以下のステップを含み得る。
【００６５】
ステップ101: 基地局が、UEに第1のページングリソースの設定情報を送信する。第1のページングリソースは、基地局がページングエリアページングを行う場合に使用されるページングリソースであり、ページングエリアは、複数のセルを含み、複数のセルのすべてが、第1のページングリソースを使用してUEにページングする。
【００６６】
本実施形態においては、コアネットワークは、第1のページングリソースをUEに割り振り、第1のページングリソースは、ページングエリアページングを行うために特に使用される。ページングエリアは、複数のセルを含む。UEがページングエリア内の複数のセル間を移動する場合には、コアネットワークは、通知を受ける必要はない。UEにページングするたびに、コアネットワークは、ページングエリア全体においてページングを行う、すなわち、ページングエリアに含まれる複数のセル内のUEに別々にページングをする。各セルが位置する基地局は、ページング処理中に基地局のセル内で第1のページングメッセージをブロードキャストする。第1のページングメッセージは、ページングエリアページングにおいて使用されるページングメッセージであり、第1のページングメッセージは、ページングされる必要があるすべてのUEの識別子を含み、セルのすべてによって送信された第1のページングメッセージのコンテンツが同一である。
【００６７】
ページングエリアは、特にTA、LA、またはRAであり得る。第1のページングリソースは、周波数リソースおよび時間リソースを含む。各セルが位置する基地局がページングエリアページングをスケジューリングする場合には、第1のページングリソースのみが、第1のページングメッセージを送信するために使用され得る。必要に応じて、基地局が第1のページングリソース上でのページングエリアページングをスケジューリングしていない場合には、基地局は、第1のページングリソースを使用して別のサービスを送信してもよく、その結果、ネットワークリソースを十分に使用することができる。
【００６８】
必要に応じて、第1のページングリソースは、MBSFNサブフレームの論理チャネルを含む。それに対応するように、基地局が、UEに第1のページングリソースの設定情報を送信することは、特に、基地局が、UEにMBSFNサブフレームのシーケンス番号および論理チャネルの識別子を送信することである。
【００６９】
ステップ102: 基地局が、コアネットワークによって送信されたページング要求を受信する。
【００７０】
コアネットワークがアイドル状態にあるUEに対してサービスを確立する必要がある場合には、コアネットワークは、ページングエリアページングをトリガするためにページングエリア内の各セルにページング要求を送信する。
【００７１】
必要に応じて、ページング要求は、基地局が第1の送信時点に従ってUEに第1のページングインディケーションを送信するように、第1の送信時点を含む。必要に応じて、ページング要求は、基地局が、第1のページングリソース上で、第2の送信時点に従ってUEに第1のページングメッセージを送信するように、第2の送信時点を含む。
【００７２】
ステップ103: 基地局が、ページング要求に従ってUEに第1のページングインディケーションを送信する。第1のページングインディケーションは、第1のページングリソース上で、基地局によって送信された第1のページングメッセージを受信するようにUEに命令するために使用され、第1のページングメッセージは、ページングエリアページングにおいて使用されるページングメッセージである。
【００７３】
ネットワークサイドによって送信されたページング要求を受信した後に、基地局は、PDCCH上で、ページング要求に従ってUEに第1のページングインディケーションを送信する。
【００７４】
必要に応じて、ページング要求が第1の送信時点を含む場合には、第1の送信時点に達した場合には、基地局は、UEに第1のページングインディケーションを送信する。本実施形態においては、ページングエリア内のセルのすべてが、第1の送信時点においてUEに第1のページングインディケーションを送信する。
【００７５】
必要に応じて、第1のページングインディケーションに対応するPDCCHフォーマットは、第2のページングインディケーションに対応するPDCCHフォーマットと同一であり、第1のページングインディケーションをマスク処理するために使用される第1のRNTIは、第2のページングインディケーションをマスク処理するために使用される第2のRNTIと同一である。第2のページングインディケーションは、第2のページングリソース上で、基地局によって送信された第2のページングメッセージを受信するようにUEに命令するために使用される。第2のページングリソースは、基地局がセルページングを行う場合に使用されるページングリソースであり、第2のページングメッセージは、セルページングにおいて使用されるページングメッセージである。セルページングとページングエリアページングとのページング範囲が異なる。セルページングのページング範囲は、1つのセルであり、ページングエリアページングのページング範囲は、複数のセルである。本実施形態においては、第1のページングリソースをページングエリアページングにおいてのみ使用することができ、第2のページングリソースをセルページングにおいてのみ使用することができる。
【００７６】
第1のページングインディケーションに対応するPDCCHフォーマットが第2のページングインディケーションに対応するPDCCHフォーマットと同一であるとともに、第1のRNTIが第2のRNTIと同一であるために、ページングインディケーションを受信した後に、UEは、受信したページングインディケーションが第1のページングインディケーションであるかまたは第2のページングインディケーションであるかを識別することができない、すなわち、UEは、現在のページング方式がページングエリアページングであるかまたはセルページングであるかを決定することができない。この場合には、UEは、ページングメッセージを第1のページングリソース上で受信するのかまたは第2のページングリソース上で受信するのかを把握していない。UEが第1のページングメッセージを見逃さないことを保証するために、UEは、ページングメッセージを第1のページングリソース上および第2のページングリソース上の双方で受信する。ページングメッセージを受信した後に、UEは、ページングメッセージのコンテンツに従って、受信したページングメッセージが第1のページングメッセージであるかまたは第2のページングメッセージであるかを決定する。
【００７７】
必要に応じて、第1のページングインディケーションに対応するPDCCHフォーマットは、第2のページングインディケーションに対応するPDCCHフォーマットと異なっており、基地局およびUEは、ページングインディケーションに対応するPDCCHフォーマットに従ってページングエリアページングとセルページングとを識別する。このように、基地局は、同一のRNTIを使用して第1のページングインディケーションおよび第2のページングインディケーションをマスク処理し得る。例えば、基地局は、第2のページングインディケーションをマスク処理するために使用される既存の第2のRNTIを使用して第1のページングインディケーションおよび第2のページングインディケーションをマスク処理する。基地局がページングエリアページングを行う場合には、基地局が、ページング要求に従ってUEに第1のページングインディケーションを送信することは、特に、基地局が、ページング要求に従うとともに第1のページングインディケーションに対応するPDCCHフォーマットを使用してUEに第1のページングインディケーションを送信することである。ページングインディケーションを受信した後に、UEは、受信したページングインディケーションに対応するPDCCHフォーマットに従って、ページングインディケーションが第1のページングインディケーションであるかまたは第2のページングインディケーションであるかを決定する。UEによって受信されたページングインディケーションが第1のページングインディケーションである場合には、現在のページング方式がページングエリアページングであることを示しており、UEは、第1のページングリソース上で、基地局によって送信された第1のページングメッセージを受信する。UEによって受信されたページングインディケーションが第2のページングインディケーションである場合には、現在のページング方式がセルページングであることを示しており、UEは、第2のページングインディケーションによって示される第2のページングリソース上で、基地局によって送信された第2のページングメッセージを受信する。
【００７８】
必要に応じて、第1のページングインディケーションは、第1のRNTIを使用してマスク処理され、第1のRNTIは、第2のページングインディケーションをマスク処理するために使用される第2のRNTIとは異なる。基地局およびUEは、第1のRNTIおよび第2のRNTIに従って第1のページングインディケーションと第2のページングインディケーションとを識別する。ページングエリアページングを行う必要がある場合には、基地局が、ページング要求に従ってUEに第1のページングインディケーションを送信することは、特に、基地局が、第1のページングインディケーションをマスク処理し、ページング要求に従うとともに第1のページングインディケーションに対応する第1のRNTIを使用してUEに第1のページングインディケーションを送信することである。受信端において、UEは、第1のRNTIに従ってページングインディケーションを受信する。UEが第1のRNTIに従ってページングインディケーションを受信している場合には、UEによって受信されたページングインディケーションが第1のページングインディケーションであることを示しており、UEは、第1のページングリソース上で、基地局によって送信された第1のページングメッセージを受信する。
【００７９】
ステップ104: 基地局が、第1のページングリソース上で、UEに第1のページングメッセージを送信する。第1のページングメッセージは、第1のページングスクランブルコードを使用してスクランブル処理され、第1のページングメッセージを送信する際には、複数のセルのすべてが、第1のページングスクランブルコードを使用して第1のページングメッセージをスクランブル処理する。
【００８０】
本実施形態においては、ページングエリア内のセルのすべてが、同一のページングスクランブルコードを使用して第1のページングメッセージをスクランブル処理し、第1のページングリソース上で、UEにスクランブルされた第1のページングメッセージを送信する。したがって、複数のセルによって送信された第1のページングメッセージが、互いに干渉しなくなり、UEによって受信された第1のページングメッセージは、複数のページングエリアのページング信号の重畳となっており、それによって、UEのページング成功率を増大している。特定の実施形態においては、基地局は、第1のページングリソースの特定の基準シンボルの分布図に従って第1のページングリソースを決定する。第1のページングリソースの特定の基準シンボルの分布図は、第1のページングリソースの周波数リソースおよび時間リソースを特に指定している。
【００８１】
本実施形態においては、基地局は、UEに、UEのためにネットワークサイドによって予約されている第1のページングリソースの設定情報を送信する。基地局がページングエリアページングを行う必要がある場合には、基地局は、第1のページングリソース上で、UEに第1のページングメッセージを送信する。本実施形態においては、ページングエリアに含まれるすべての複数のセルは、第1のページングリソースを使用してページングエリアページングを行い、第1のページングメッセージを送信する際には、複数のセルのすべてが、同一のページングスクランブルコードを使用して第1のページングメッセージをスクランブル処理する。したがって、複数のセルによって送信された第1のページングメッセージが、互いに干渉しなくなり、UEによって受信された第1のページングメッセージは、複数のページングエリアのページング信号の重畳となっており、それによって、UEのページング成功率を増大している。
【００８２】
図4は、本発明の実施形態4による、ページングメッセージ受信方法のフローチャートである。図4に示したように、本実施形態において提供した方法は、以下のステップを含み得る。
【００８３】
ステップ201: UEが、第1のページングリソースのものであるとともに基地局によって送信された設定情報を受信する。第1のページングリソースは、基地局がページングエリアページングを行う場合に使用されるページングリソースであり、ページングエリアは、複数のセルを含み、複数のセルのすべてが、第1のページングリソースを使用してUEにページングする。
【００８４】
必要に応じて、第1のページングリソースは、MBSFNサブフレームの論理チャネルであり、UEが、第1のページングリソースのものであるとともに基地局によって送信された設定情報を受信することは、特に、UEが、基地局によって送信されたMBSFNサブフレームのシーケンス番号および論理チャネルの識別子を受信することである。その後、UEは、MBSFNサブフレームのシーケンス番号および論理チャネルの識別子に従って、基地局によって送信された第1のページングメッセージを受信する。
【００８５】
ステップ202: UEが、基地局によって送信されたページングインディケーションを受信する。
【００８６】
ステップ203: UEが、ページングインディケーションに従うとともに第1のページングスクランブルコードを使用して第1のページングリソース上で、基地局によって送信された第1のページングメッセージを受信する。第1のページングメッセージは、第1のページングスクランブルコードを使用してスクランブル処理され、第1のページングメッセージは、ページングエリアページングにおいて使用されるページングメッセージであり、第1のページングメッセージを送信する際には、複数のセルのすべてが、第1のページングスクランブルコードを使用して第1のページングメッセージをスクランブル処理する。
【００８７】
特に、UEは、以下の3つの方式で第1のページングメッセージを受信する。
【００８８】
(1) 第1のページングインディケーションに対応するPDCCHフォーマットは、第2のページングインディケーションに対応するPDCCHフォーマットと同一であり、第1のページングインディケーションをマスク処理するために使用される第1のRNTIは、第2のページングインディケーションをマスク処理するために使用される第2のRNTIと同一である。この場合には、UEは、ページングインディケーションに従うとともに第1のページングスクランブルコードを使用して第1のページングリソース上および第2のページングリソース上の別々で、基地局によって送信された第1のページングメッセージを受信する。UEは、ページングインディケーションによって示される第2のページングリソース上で、第2のページングスクランブルコードに従って第2のページングメッセージをさらに受信する。第2のページングメッセージは、第2のページングスクランブルコードを使用してスクランブル処理され、第2のページングメッセージは、セルページングにおいて使用されるページングメッセージであり、第2のページングリソースは、基地局がセルページングを行う場合に使用されるページングリソースである。
【００８９】
(2) 第1のページングインディケーションに対応するPDCCHフォーマットが第2のページングインディケーションに対応するPDCCHフォーマットとは異なる場合には、基地局およびUEは、ページングインディケーションに対応するPDCCHフォーマットに従ってページングエリアページングとセルページングとを識別する。UEが、ページングインディケーションに従うとともに第1のページングスクランブルコードを使用して第1のページングリソース上で、基地局によって送信された第1のページングメッセージを受信することは、特に、UEが、ページングインディケーションに対応するPDCCHフォーマットに従って、基地局のページング方式がページングエリアページングであると決定することである。ページングインディケーションに対応するPDCCHフォーマットは、第1のページングインディケーションに対応するPDCCHフォーマットおよび第2のページングインディケーションに対応するPDCCCHフォーマットを含む。第1のページングインディケーションは、第1のページングリソース上で、基地局によって送信された第1のページングメッセージを受信するようにUEに命令するために使用され、第2のページングインディケーションは、第2のページングリソース上で、基地局によって送信された第2のページングメッセージを受信するようにUEに命令するために使用される。例えば、第1のページングインディケーションに対応するPDCCHフォーマットは、1Aであり、第2のページングインディケーションに対応するPDCCHフォーマットは、1Cであり、UEは、受信したページングインディケーションに対応するPDCCHフォーマットが1Aであるかまたは1Cであるかを決定する。UEによって受信されたページングインディケーションに対応するPDCCHフォーマットが1Aである場合には、UEは、現在のページング方式がページングエリアページングであると決定し、UEは、第1のページングスクランブルコードを使用して第1のページングリソース上で、基地局によって送信された第1のページングメッセージを受信する。UEによって受信されたページングインディケーションに対応するPDCCHフォーマットが1Cである場合には、UEは、現在のページング方式がセルページングであると決定し、UEは、第2のページングスクランブルコードを使用して第2のページングリソース上で、基地局によって送信された第2のページングメッセージを受信する。
【００９０】
(3) 第1のページングインディケーションをマスク処理するために使用される第1のRNTIが第2のページングインディケーションをマスク処理するために使用される第2のRNTIとは異なる場合には、基地局およびUEは、第1のRNTIおよび第2のRNTIに従って第1のページングインディケーションと第2のページングインディケーションとを識別する。UEが、基地局によって送信されたページングインディケーションを受信することは、特に、UEが、第1のページングインディケーションに対応する第1のRNTIを使用してページングインディケーションを受信することである。UEが第1のRNTIを使用してページングインディケーションを受信することに成功した場合には、UEは、ページングインディケーションが第1のページングインディケーションであると決定し、現在のページング方式は、ページングエリアページングであり、UEは、第1のページングスクランブルコードを使用して第1のページングリソース上で、基地局によって送信された第1のページングメッセージを受信する。UEが第1のRNTIを使用してページングインディケーションを受信していない場合には、UEは、ページングインディケーションが第2のページングインディケーションであると決定し、現在のページング方式は、セルページングであり、UEは、第2のページングリソース上で第2のページングスクランブルコードを使用して、基地局によって送信された第2のページングメッセージを受信する。
【００９１】
本実施形態においては、UEは、UEのためのコアネットワークによって予約されている第1のページングリソースの設定情報を受信する。基地局がページングエリアページングをUEに対して行う場合には、基地局は、UEにページングインディケーションを送信する。UEは、受信したページングインディケーションに従うとともに第1のページングスクランブルコードを使用して第1のページングリソース上で、第1のページングスクランブルコードを使用してスクランブル処理されるとともに基地局によって送信される第1のページングメッセージを受信する。本実施形態においては、ページングエリアに含まれるすべての複数のセルは、第1のページングリソースを使用してページングエリアページングを行い、第1のページングメッセージを送信する際には、複数のセルのすべてが、同一のページングスクランブルコードを使用して第1のページングメッセージをスクランブル処理する。したがって、複数のセルによって送信された第1のページングメッセージが、互いに干渉しなくなり、UEによって受信された第1のページングメッセージは、複数のページングエリアのページング信号の重畳となっており、それによって、UEのページング成功率を増大している。
【００９２】
図5は、本発明の実施形態5による、基地局の概略構造図である。図5に示したように、本実施形態において提供した基地局300は、プロセッサ31、メモリ32、通信インターフェース33、および通信バス34を含む。メモリ32および通信インターフェース33は、通信バス34を使用してプロセッサ31に接続されている。メモリ32は、コンピュータ命令を記憶するように構成され、通信インターフェース33は、別のデバイスと通信するように構成され、プロセッサ31は、メモリ32に記憶されているコンピュータ命令を実行して以下の方法、
UEに第1のページングリソースの設定情報を送信するステップであって、第1のページングリソースは、基地局がページングエリアページングを行う場合に使用されるページングリソースであり、ページングエリアは、複数のセルを含み、複数のセルのすべてが、第1のページングリソースを使用してUEにページングする、ステップと、
コアネットワークによって送信されたページング要求を受信するステップと、
ページング要求に従ってUEに第1のページングインディケーションを送信するステップであって、第1のページングインディケーションは、第1のページングリソース上で、基地局によって送信された第1のページングメッセージを受信するようにUEに命令するために使用され、第1のページングメッセージは、ページングエリアページングにおいて使用されるページングメッセージである、ステップと、
第1のページングリソース上で、UEに第1のページングメッセージを送信するステップであって、第1のページングメッセージは、第1のページングスクランブルコードを使用してスクランブル処理され、第1のページングメッセージを送信する際には、複数のセルのすべてが、第1のページングスクランブルコードを使用して第1のページングメッセージをスクランブル処理する、ステップとを実行するように構成される。
【００９３】
必要に応じて、ページング要求は、第1の送信時点を含み、ページング要求に従ってUEに第1のページングインディケーションを送信するステップは、第1の送信時点に従ってUEに第1のページングインディケーションを送信するステップを含む。
【００９４】
必要に応じて、ページング要求は、第2の送信時点を含み、第1のページングリソース上で、UEに第1のページングメッセージを送信するステップは、第1のページングリソース上で、第2の送信時点に従ってUEに第1のページングメッセージを送信するステップを含む。
【００９５】
さらに、プロセッサ31は、UEに第1のページングスクランブルコードを送信するようにさらに構成される。
【００９６】
必要に応じて、第1のページングリソースは、MBSFNサブフレームの論理チャネルを含み、UEに第1のページングリソースの設定情報を送信するステップは、UEにMBSFNサブフレームのシーケンス番号および論理チャネルの識別子を送信するステップを含む。
【００９７】
必要に応じて、第1のページングインディケーションがPDCCHを使用して送信され、ページング要求に従ってUEに第1のページングインディケーションを送信するステップは、ページング要求に従うとともに第1のページングインディケーションに対応するPDCCHフォーマットを使用してUEに第1のページングインディケーションを送信するステップを含む。
【００９８】
必要に応じて、ページング要求に従ってUEに第1のページングインディケーションを送信するステップは、第1のページングインディケーションをマスク処理し、ページング要求に従うとともに第1のページングインディケーションに対応する第1のRNTIを使用してUEに第1のページングインディケーションを送信するステップを含む。
【００９９】
本実施形態において提供した基地局300は、実施形態3における方法を実行するように構成され得る。具体的な実施形態および技術的効果は類似しているため、その詳細を本明細書では再び説明しない。
【０１００】
図6は、本発明の実施形態6による、UEの概略構造図である。図6に示したように、本実施形態において提供したUE400は、プロセッサ41、メモリ42、通信インターフェース43、および通信バス44を含む。メモリ42および通信インターフェース43は、通信バス44を使用してプロセッサ41に接続されている。メモリ42は、コンピュータ命令を記憶するように構成され、通信インターフェース43は、別のデバイスと通信するように構成され、プロセッサ41は、メモリ42に記憶されているコンピュータ命令を実行して以下の方法、
第1のページングリソースのものであるとともに基地局によって送信された設定情報を受信するステップであって、第1のページングリソースは、基地局がページングエリアページングを行う場合に使用されるページングリソースであり、ページングエリアは、複数のセルを含み、複数のセルのすべてが、第1のページングリソースを使用してUEにページングする、ステップと、
基地局によって送信されたページングインディケーションを受信するステップと、
ページングインディケーションに従うとともに第1のページングスクランブルコードを使用して第1のページングリソース上で、基地局によって送信された第1のページングメッセージを受信するステップであって、第1のページングメッセージは、第1のページングスクランブルコードを使用してスクランブル処理され、第1のページングメッセージは、ページングエリアページングにおいて使用されるページングメッセージであり、第1のページングメッセージを送信する際には、複数のセルのすべてが、第1のページングスクランブルコードを使用して第1のページングメッセージをスクランブル処理する、ステップとを実行するように構成される。
【０１０１】
さらに、ページングインディケーションに従うとともに第1のページングスクランブルコードを使用して第1のページングリソース上でUEによって、基地局によって送信された第1のページングメッセージを受信するステップの前に、プロセッサ41は、基地局によって送信された第1のページングスクランブルコードを受信するようにさらに構成される。
【０１０２】
必要に応じて、第1のページングリソースは、MBSFNサブフレームの論理チャネルを含み、第1のページングリソースのものであるとともに基地局によって送信された設定情報を受信するステップは、基地局によって送信されたMBSFNサブフレームのシーケンス番号および論理チャネルの識別子を受信するステップを含む。
【０１０３】
必要に応じて、プロセッサ41は、ページングインディケーションによって示される第2のページングリソース上で、第2のページングスクランブルコードに従って第2のページングメッセージを受信するようにさらに構成される。第2のページングメッセージは、第2のページングスクランブルコードを使用してスクランブル処理され、第2のページングメッセージは、セルページングにおいて使用されるページングメッセージである。
【０１０４】
必要に応じて、ページングインディケーションがPDCCHを使用して送信され、ページングインディケーションに従うとともに第1のページングスクランブルコードを使用して第1のページングリソース上で、基地局によって送信された第1のページングメッセージを受信するステップは、ページングインディケーションに対応するPDCCHフォーマットに従って、基地局のページング方式がページングエリアページングであると決定するステップを含む。ページングインディケーションに対応するPDCCHフォーマットは、第1のページングインディケーションに対応するPDCCHフォーマットおよび第2のページングインディケーションに対応するPDCCHフォーマットを含み、第1のページングインディケーションは、第1のページングリソース上で、基地局によって送信された第1のページングメッセージを受信するようにUEに命令するために使用され、第2のページングインディケーションは、第2のページングリソース上で、基地局によって送信された第2のページングメッセージを受信するようにUEに命令するために使用され、第2のページングリソースは、基地局がセルページングを行う場合に使用されるページングリソースであり、第2のページングメッセージは、セルページングにおいて使用されるページングメッセージであり、第1のページングスクランブルコードを使用して第1のページングリソース上で、基地局によって送信された第1のページングメッセージが受信される。ページングインディケーションに対応するPDCCHフォーマットに従って、基地局のページング方式がセルページングであると決定される場合には、プロセッサ41は、第2のページングリソース上で第2のページングスクランブルコードを使用して、基地局によって送信された第2のページングメッセージを受信する。第2のページングメッセージは、第2のページングスクランブルコードを使用してスクランブル処理される。
【０１０５】
必要に応じて、基地局によって送信されたページングインディケーションを受信するステップは、第1のページングインディケーションに対応する第1のRNTIを使用してページングインディケーションを受信するステップを含む。第1のページングインディケーションは、第1のページングリソース上で、基地局によって送信された第1のページングメッセージを受信するようにUEに命令するために使用される。
【０１０６】
本実施形態において提供したUE400は、実施形態4における方法を実行するように構成される。具体的な実施形態および技術的効果は類似しているため、その詳細を本明細書では再び説明しない。
【０１０７】
当業者は、方法の実施形態のステップのすべてまたは一部が関連ハードウェアに命令するプログラムによって実施され得ることを理解されよう。プログラムは、コンピュータ可読記憶媒体に記憶され得る。プログラムが動作する場合には、方法の実施形態のステップを行う。前述の記憶媒体は、ROM、RAM、磁気ディスク、または光ディスクなどの、プログラムコードを記憶することができる任意の媒体を含む。
【０１０８】
最後に、前述の実施形態は、本発明の技術的ソリューションを説明することを意図しているだけで、本発明を限定することを目的としていないことに留意されたい。前述の実施形態を参照して本発明を詳細に説明してきたが、当業者は、本発明の実施形態の技術的ソリューションの範囲を逸脱しない限り、前述の実施形態において説明した技術的ソリューションに修正をさらに行い得る、または、その技術的特徴の一部もしくはすべてに対する均等物との置換を行い得ることを理解すべきである。
【符号の説明】
【０１０９】
11  送信モジュール
12  受信モジュール
13  処理モジュール
21  受信モジュール
22  処理モジュール
31  プロセッサ
32  メモリ
33  通信インターフェース
34  システムバス
41  プロセッサ
42  メモリ
43  通信インターフェース
44  システムバス
【図１】
0006526212.tif 000002
【図２】
0006526212.tif 000003
【図３】
0006526212.tif 000004
【図４】
0006526212.tif 000005
【図５】
0006526212.tif 000006
【図６】
0006526212.tif 000007